(57)【要約】【課題】磁気テープが保持する磁気の状態を認識できるようにして、情報読込装置の保守点検作業を容易に行なうことができるようにする。【解決手段】磁気テープに記録された情報を読み込む情報読込装置であって、磁気テープが保持する磁気を受けて磁気の状態に応じた磁気信号を出力する磁気信号出力手段（１００）と、磁気信号出力手段から出力された磁気信号を表示するイメージ出力手段（２１，２２）とを備える。【選択図】      図１
2009140541.tif 000002
【特許請求の範囲】
【請求項１】
磁気テープに記録された情報を読み込む情報読込装置であって、
前記磁気テープが保持する磁気を受けて当該磁気の状態に応じた磁気信号を出力する磁気信号出力手段と、
該磁気信号出力手段から出力された磁気信号の状態をイメージ出力するイメージ出力手段とを備えることを特徴とする情報読込装置。
【請求項２】
前記イメージ出力手段が、前記磁気信号のアナログ波形をイメージ出力する請求項１記載の情報読込装置。
【請求項３】
前記磁気信号出力手段の前記磁気テープが保持する磁気の読み込み能力の障害及び前記磁気信号出力手段から出力された磁気信号から前記情報を生成する情報生成手段の障害を検知するハードウェア障害検知手段を備える請求項１又は２記載の情報読込装置。
【請求項４】
前記磁気信号出力手段から出力された磁気信号を記憶する磁気信号記憶手段と、
前記磁気信号出力手段で読み込んだ磁気信号が適正であるか否かを判別する磁気信号判別手段と、
該磁気信号判別手段が不適の判別をしたときに前記磁気信号記憶手段に記憶された磁気信号を前記イメージ出力手段に出力可能とする制御手段とを備える請求項１〜３のいずれかに記載の情報読込装置。
【請求項５】
前記制御手段が、前記磁気信号判別手段が適正の判別をしたときに、当該適正の磁気信号を、前記磁気信号記憶手段から削除する削除手段を備える請求項４記載の情報読込装置。
【請求項６】
時刻情報を提供する時計手段を備え、
前記制御手段が、前記時計手段からの時刻情報を、前記磁気信号記憶手段に前記磁気信号出力手段で読み込んだ磁気信号に関連付けて記憶させる請求項４又は５記載の情報読込装置。
【請求項７】
前記イメージ出力手段が、前記磁気信号の状態をイメージ印刷する印刷手段を備える請求項１〜６のいずれかに記載の情報読込装置。
【請求項８】
前記イメージ出力手段が、前記磁気信号の状態をイメージ表示する表示手段を備える請求項１〜７のいずれかに記載の情報読込装置。
【請求項９】
所定の媒体に付設された磁気テープから情報を読み込む情報読込装置を備え、該情報読込装置が読み込んだ情報に基づいて所定の情報処理を行なう情報処理装置であって、
前記情報読込装置が、請求項１〜８のいずれかに記載の情報読込装置であることを特徴とする情報処理装置。
【請求項１０】
所定の通帳に付設された磁気テープから情報を読み込む情報読込装置と、該情報読込装置が読み込んだ情報に基づいて所定の入出金情報を印字する通帳プリンタであって、
前記情報読込装置が、請求項１〜８のいずれかに記載の情報読込装置であることを特徴とする通帳プリンタ。
【請求項１１】
所定の媒体に付設された磁気テープから情報を読み込む複数の情報読込装置と、該情報読込装置が読み込んだ情報に基づいて所定の情報処理を行なう一又は二以上の情報処理装置とを備える情報処理システムであって、
前記情報読込装置が、請求項１〜８のいずれかに記載の情報読込装置であることを特徴とする情報処理システム。
【請求項１２】
磁気テープが保持する磁気を読み取るステップと、
読み取った磁気の状態に応じた磁気信号を出力するステップと、
出力された磁気信号の状態をイメージ出力するステップとを含む磁気状態の検出方法。
【請求項１３】
磁気テープに記録された情報を読み込む情報読込装置のコンピュータを、
前記磁気テープが保持する磁気を受けて当該磁気の状態に応じた磁気信号を出力する磁気信号出力手段、該磁気信号出力手段から出力された磁気信号を表示するイメージ出力手段として機能させるための磁気状態の検出プログラム。
【発明の詳細な説明】
【技術分野】
【０００１】
本発明は、例えば、銀行等のキャッシュカードや預金通帳などに付設される磁気テープから情報を読み込む情報読込装置、情報読込装置を用いた情報処理装置、通帳プリンタ、情報処理システム、磁気状態の検出方法及び磁気状態の検出プログラムに関する。
【背景技術】
【０００２】
一般に、例えば、銀行等のキャッシュカードや預金通帳により、自動で入出金処理を行なう現金自動預払機などの情報処理装置には、キャッシュカードや預金通帳などに付設される磁気テープから情報を読み込む情報読込装置が備えられている。
従来、この種の情報読込装置としては、例えば、特許文献１記載のものが提案されている。
この特許文献１記載の情報読込装置は、磁気テープの磁気を受ける磁気ヘッドと、磁気ヘッドで読み込まれた信号をデジタル信号にして再生するスライス部と、磁気ヘッド交換表示ランプとを備えている。
【０００３】
スライス部は、高さの異なる２つのスライスレベルにより、磁気ヘッドで読み込まれた信号を再生可能になっている。
そして、この情報読込装置は、預金通帳に付設された磁気テープを磁気ヘッドで読み込むと、まず、スライス部において、高い方のスライスレベルでデータ再生を行ない、正常であれば預金通帳を返却する。一方、異常であれば、再度低い方のスライスレベルでデータ再生を行い、正常となれば磁気ヘッドの寿命時期を予知したとして、例えば磁気ヘッド交換表示ランプを点灯させる。
【０００４】
【特許文献１】特開昭６３−１４４４０４号公報
【発明の開示】
【発明が解決しようとする課題】
【０００５】
ところで、このような情報読込装置は、磁気ヘッドが劣化してない状態で、磁気テープが、例えば、他の磁気テープに影響や、携帯電話機等から発せられた電波などにより、その一部が所定レベル以下に減磁されたときにも、同様に交換表示ランプが点灯してしまうことがあるので、保守作業が煩雑になってしまうという問題があった。
即ち、交換表示ランプが点灯すると、入出金装置のメーカなどの保守作業員が、磁気ヘッドなどの交換のために、その情報読込装置の場所まで出向くことになり、磁気ヘッドに問題がないときには、これが無駄になってしまう。
また、このような情報読込装置は、磁気テープの減磁又は消磁と、ハードウェア障害との区別ができないので、これによっても保守作業が煩雑になるという問題があった。
【０００６】
本発明は、以上のような従来の技術が有する問題を解決するために提案されたものであり、磁気テープが保持する磁気の状態を認識できるようにして、磁気テープの減磁又は消磁とハードウェア障害との区別を可能にするとともに、保守点検作業を容易に行なうことができるようにした情報読込装置、情報読込装置を用いた情報処理装置、通帳プリンタ、情報処理システム、磁気状態の検出方法及び磁気状態の検出プログラムの提供を目的とする。
【課題を解決するための手段】
【０００７】
上記目的を達成するため、磁気テープに記録された情報を読み込む情報読込装置であって、前記磁気テープが保持する磁気を受けて当該磁気の状態に応じた磁気信号を出力する磁気信号出力手段と、該磁気信号出力手段から出力された磁気信号の状態をイメージ出力するイメージ出力手段とを備えている。
【０００８】
また、本発明の情報処理装置は、所定の媒体に付設された磁気テープから情報を読み込む情報読込装置と、該情報読込装置が読み込んだ情報に基づいて所定の情報処理を行なう情報処理装置とを備え、前記情報読込装置が、上記情報読込装置である構成としている。
【０００９】
また、本発明の通帳プリンタは、所定の通帳に付設された磁気テープから情報を読み込む情報読込装置と、該情報読込装置が読み込んだ情報に基づいて所定の入出金情報を印字する通帳プリンタであって、前記情報読込装置が、上記情報読込装置である構成としている。
【００１０】
また、本発明の情報処理システムは、所定の媒体に付設された磁気テープから情報を読み込む複数の情報読込装置と、該情報読込装置が読み込んだ情報に基づいて所定の情報処理を行なう一又は二以上の情報処理装置とを備える情報処理システムであって、前記情報読込装置が、上記情報読込装置である構成としている。
【００１１】
また、本発明の磁気状態の検出方法は、前記磁気テープが保持する磁気を読み取るステップと、読み取った磁気の状態に応じた磁気信号を出力するステップと、出力された磁気信号の状態をイメージ出力するステップとを含む構成としている。
【００１２】
また、本発明の磁気状態の検出プログラムは、磁気テープに記録された情報を読み込む情報読込装置のコンピュータを、前記磁気テープが保持する磁気を受けて当該磁気の状態に応じた磁気信号を出力する磁気信号出力手段、該磁気信号出力手段から出力された磁気信号を表示するイメージ出力手段として機能させる構成としている。
【発明の効果】
【００１３】
本発明の情報読込装置、情報読込装置を用いた情報処理装置、通帳プリンタ、情報処理システム、磁気状態の検出方法及び磁気状態の検出プログラムは、磁気テープが保持する磁気の状態を認識できるようになり、磁気テープの減磁又は消磁とハードウェア障害との区別を可能にすることができる。また、保守点検作業を容易に行なうことができる。
【発明を実施するための最良の形態】
【００１４】
以下、本発明に係る情報読込装置、情報読込装置を用いた情報処理装置、通帳プリンタ、情報処理システム、磁気状態の検出方法及び磁気状態の検出プログラムの好ましい実施形態について説明する。
［第一実施形態］
まず、本発明の第一実施形態に係る情報読込装置と、情報読込装置を用いた情報処理装置を説明する。
ここで本実施形態において情報処理装置とは、預金通帳への記帳を行なう通帳プリンタや、現金自動預払機（ＡＴＭ）、現金自動支払機（キャッシュディスペンサ）等の入出金装置などのことである。
本発明の第一実施形態に係る情報処理装置は、通帳に記帳する通帳プリンタを備える入出金装置である。
【００１５】
図１には、本発明の第一実施形態に係る情報読込装置を用いた情報処理装置の概略構成図を示している。
図２には、本発明の第一実施形態に係る情報読込装置を用いた情報処理装置の概略斜視図を示している。
これらの図に示すように、情報読込装置を用いた入出金装置は、磁気テープ３２に記録された情報を読み込むものであって、タッチパネル１４などの操作部及び預金通帳３０やキャッシュカード３１などの客の識別情報を有した情報媒体が挿入される挿入口１０２，１０３を有した入出金装置本体１と、入出金装置に接続されて入出金装置で取引した内容を照会するための照会端末２とを備えている。
【００１６】
入出金装置本体１は、情報媒体３０，３１に付設された磁気テープ３２が保持する磁気を受けて磁気の状態に応じた磁気信号を出力する磁気信号出力手段と、磁気信号出力手段から出力された磁気信号を記憶する磁気信号記憶手段と、磁気信号出力手段で読み込んだ磁気信号が適正であるか否かを判別する磁気信号判別手段と、磁気信号判別手段が不適の判別をしたときに磁気信号記憶手段に記憶された磁気信号をイメージ出力手段に出力可能とする制御手段とを備えている。
【００１７】
具体的には、入出金装置本体１は、挿入口１０２，１０３から挿入された情報媒体３０，３１の磁気テープ３２に摺接する磁気ヘッド１０を備えている。
磁気ヘッド１０は、図示しない移動手段により、移動させられる情報媒体３０，３１の磁気テープ３２に接することにより、磁気テープ３２が保持する磁気により形成された磁気信号を読み取るリードコア１００と、磁気テープ３２を励磁して磁気を保持させるライトコア１０１とを備えている。
【００１８】
リードコア１００は、本発明の磁気信号出力手段を構成しており、磁気テープ３２に記録された磁気信号を再生するために設けられている。
また、リードコア１００は、コイルを備えており、図示しない移動手段が、情報媒体３０，３１を所定速度で移動したときに、磁気テープ３２の磁気によりコイルに発生した電流を磁気信号として出力する。
【００１９】
ライトコア１０１は、磁気テープ３２に磁気信号を記録するために備えられている。
ライトコア１０１は、コイルを備えており、移動手段により情報媒体３０，３１が所定速度で移動されたときに、コイルで励磁されることにより、磁気テープ３２を部分的に励磁して、磁気信号を記録する。
また、ライトコア１０１は、リードコア１００の近傍に設けられており、自身が発生する磁気をリードコア１００で読込可能になっている。
【００２０】
入出金装置本体１は、リードコア１００から出力される磁気信号が入力されるアンプ部１１と、アンプ部１１から出力された磁気信号が入力されるＡ／Ｄコンバータ１２と、Ａ／Ｄコンバータ１２から出力された磁気信号を記憶可能なメモリ１３と、を備えている。
アンプ部１１は、リードコア１００から出力された磁気信号を増幅している。
Ａ／Ｄコンバータ１２は、アンプ部１１で増幅された磁気信号のアナログ波形をデジタル化している。
このようにすると、アンプ部１１から出力されたアナログ波形の磁気信号を出力できるようになる。
メモリ１３は、本発明の磁気信号記憶手段として構成されるもので、例えば、ハードディスクやフラッシュメモリなどで構成されている。
【００２１】
また、入出金装置本体１は、磁気ヘッド１０のリードコア１００及びライトコア１０１を制御する磁気制御部１５と、内蔵されたＲＯＭに記憶されたプログラムを実行することにより入出金装置本体１全体の制御を行なうプロセッサ１６と、時刻情報を提供する時計部１７と、を備えている。
磁気制御部１５は、プロセッサ１６の命令に従い、リードコア１００による磁気テープ３２の再生動作及びライトコア１０１による磁気テープ３２への記録動作を制御する。
また、磁気制御部１５は、磁気信号から情報を取り出す情報取出手段として機能する。
磁気制御部１５は、アナログ信号である磁気信号に基づいて情報を取り出す。
【００２２】
また、磁気制御部１５は、本発明の磁気信号が磁気ヘッド１０で適正に読み込めたか否かを判別する磁気信号判別手段としても機能する。
磁気制御部１５は、例えば、磁気ヘッド１０が劣化するなどして再生状態が良好でなかったり、磁気テープ３２が消磁又は減磁してリードコア１００で磁気が読めなかったりしたときにこれを検出する。
また、磁気制御部１５は、ハードウェア障害検知部１５０を備えている。
ハードウェア障害検知部１５０は、本発明のハードウェア障害検知手段を構成しており、磁気ヘッド１０の劣化や、磁気制御部１５と磁気ヘッド１０と間の配線の断線などを検出するものである。
【００２３】
ハードウェア障害検知部１５０は、ライトコア１０１に所定の磁気を発生させて、リードコア１００にこの磁気を読み取らせて擬似的な磁気信号を出力させたときに、擬似的な磁気信号の期待値を記憶するＲＯＭと、ライトコア１０１に対して所定の磁気を発生させてリードコア１００にこの磁気を読み取らせて擬似的な磁気信号を出力させるとともに、この擬似的な磁気信号と、ＲＯＭに記憶された期待値とを照合する照合手段とを備えている。
【００２４】
このようにすると、ハードウェア障害検知部１５０が、検出した磁気が期待値以上のときには、ハードウェアが正常であることを判断する。また、ハードウェア障害検知部１５０が、検出した磁気が期待値未満のときには、ハードウェアに以上が生じているものと判断する。
なお、ハードウェア障害検知部１５０は、ハードウェア障害を検知するときに、ライトコア１０１に磁気テープ３２への記録動作時よりも小さい磁気を発生させることが好ましい。
このようにすると、ライトコア１０１の発生する磁束を、正常な磁気テープ３２が保持する磁気の磁束程度に抑えることができ、アンプ部１１などに大きな負荷をかけにくくなる。
【００２５】
プロセッサ１６は、本発明の制御手段を構成しており、メモリ１３及び磁気制御部１５と接続されている。
プロセッサ１６は、磁気制御部１５から情報が入力されると、この情報や客による操作部の操作に基づいて所定の処理を行なう。
また、プロセッサ１６は、メモリ１３に記憶された磁気信号に、磁気信号が読み取られた時刻情報を時計部１７から得て、これを付加する。
また、プロセッサ１６は、磁気制御部１５のハードウェア障害検知部１５０がハードウェア障害を検知したときは、ハードウェア障害有りの情報を、メモリ１３に記憶された磁気信号に付加する。
【００２６】
プロセッサ１６は、磁気制御部１５がリードコア１００により再生した磁気信号を適正であると判断したときに、この正常な磁気信号に基づくメモリ１３に記憶された磁気信号を削除する。
また、メモリ１３から磁気信号が削除されるので、不必要にデータがメモリ１３内に残らなくなり、個人情報の情報漏えい防止を行なうことができる。
また、プロセッサ１６は、磁気制御部１５において、読取エラーと判断したときは、プロセッサ１６が、操作部のタッチパネル１４に所定の表示を行なわせることにより、例えば、銀行窓口に行くように促したり、別の入出金装置本体で操作するように促したりする。
【００２７】
また、プロセッサ１６は、照会端末２側に対して、読取エラーが生じたことを伝達する機能を備えている。
なお、プロセッサ１６は、情報に対してパリティが付加されているときに、情報とパリティが合わなかったときにも磁気信号の読取エラーとして、上述のエラー処理を行なうようにしてよい。
時計部１７は、時刻情報として日付の情報を含ませてこれを提供している。
【００２８】
また、入出金装置本体１は、印字部を備えている（図示せず）。
この印字部は、プロセッサ１６の処理に応じて、挿入口１０２から挿入された預金通帳３０に取引内容を印字する。
また、この印字部は、例えば、キャッシュカード３１による取引の際に、プロセッサ１６の処理に応じて、挿入口１０２又は挿入孔１０３から取引内容を印字した取引明細書を送出する。
【００２９】
照会端末２は、例えば、汎用のコンピュータなどで構成されており、本発明の磁気信号出力手段から出力された磁気信号の状態をイメージ出力するイメージ出力手段を備えている。
具体的には、照会端末２は、銀行の行員や、入出金装置の保守管理業務を行なうものなどの管理者により操作されるものであって、入出金装置を遠隔操作する上位制御部２０と、上位制御部２０の指示に従って紙に印刷可能な印刷部２１とを備えている。
この上位制御部２０及び印刷部２１は、本発明のイメージ出力手段を構成している。
【００３０】
上位制御部２０は、例えば、ＣＰＵ、ＲＡＭ、ＲＯＭからなる演算処理装置で構成されている。
また、上位制御部２０は、入出金装置本体１のプロセッサ１６に対して、メモリ１３に記憶された磁気信号を呼び出して照会端末２側に出力させる機能を備えている。
また、上位制御部２０は、入出金装置本体１から送られた磁気信号を、印刷部２１に印字させる機能を備えている。
また、上位制御部２０は、プロセッサ１６の削除手段に対して、印刷部２１に印字させた磁気信号をメモリ１３から削除させる機能を備えている。
このようにすると、個人情報がメモリ１３に残らなくなるので、個人情報の保護することができる。
【００３１】
印刷部２１は、例えば、備えつけのプリンタを有している。なお、このプリンタは、既存のであってもよい。
印刷部２１には、上位制御部２０からデジタルデータ化された磁気信号のアナログ波形のデータが入力される。
そして、印刷部２１は、磁気信号のアナログ波形を紙などの印刷物に印刷することにより磁気テープの磁気の状態を管理者に視認可能にイメージ出力する。
印刷部２１は、磁気信号として、例えば、図３〜図５に示すものを印刷する。
【００３２】
図３には、印刷部２１から出力される一部が減磁された磁気テープ３２に係る磁気信号のアナログ波形のグラフ図の一例を示している。
図４には、印刷部２１から出力される一部が消磁された磁気テープ３２に係る磁気信号のアナログ波形のグラフ図の一例を示している。
これらの図に示すように、例えば、保持した磁気が、携帯電話などから発せられる電波や、マグネットなどによりその一部（中央部分）が減磁されると、この磁気テープ３２の磁気信号の波形において、減磁された部分が、振幅が所定レベルに達しない状態になる。
また、上記と同様にして、消磁されると、磁気テープ３２の磁気信号の波形において、消磁された部分の振幅がなくなる。
【００３３】
図５には、印刷部２１から出力されるハードウェア障害が生じた場合の磁気信号のアナログ波形のグラフ図の一例を示している。
同図に示すように、磁気ヘッド１０の劣化や配線障害などのハードウェア障害が生じた場合は、所定レベルに満たない振幅が磁気信号の全幅に亘って生じる。
図６には、比較対象のために、正常な磁気テープ３２の磁気信号に係る磁気信号のアナログ波形のグラフ図の一例を示している。
同図に示すように、正常な磁気テープ３２の磁気を正常にリードコイル１００で読み取ったときの磁気信号の波形は、全幅に亘って所定レベル以上の振幅を有する。
【００３４】
また、印刷部２１は、印刷する印刷物に、磁気信号とともにその磁気信号に付加された時刻情報を印刷する。
このようにすると、磁気信号の読取エラーが生じた時間を容易に特定することができる。そのため、例えば、入出金装置本体１で操作した客が、読取エラーで窓口にきたときに、管理者は、客が操作した時間をおおよそ特定して、対応する磁気信号の出力を見つけるので、早く対応する磁気信号の出力を見つけることができ、客への対応を早く行なうことができる。
また、印刷部２１は、印刷する印刷物に、磁気信号、時刻情報とともに、ハードウェア故障検知部１５０が検知したハードウェア故障の有無の情報を印刷する。
このようにすると、管理者が、ハードウェア障害の有無を確実に認識できる。
【００３５】
また、照会端末２には、モニタ２２が接続されている。
モニタ２２は、上述の磁気信号のアナログ波形、時刻情報及びハードウェア障害の有無が表示される。
また、モニタ２２には、読取エラーが生じるとこの信号をプロセッサ１６から受け取った上位制御部２０により、読取エラーを管理者に報知するために所定の画面が表示させられる。
【００３６】
次に、本発明の情報読込装置を用いた入出金装置の動作を、図７及び図８に示すフローチャートを参照しつつ説明する。
まず、客が、キャッシュカード３１、預金通帳３０などの情報媒体を挿入口１０２，１０３に挿入することにより、取引が開始されると（Ｓ１−１Ｙｅｓ）、まず、移動手段により情報媒体３０，３１が移動させられ、磁気ヘッド１０が情報媒体３０，３１に付設された磁気テープ３２に摺接する。
【００３７】
この際、磁気ヘッド１０のリードコア１００が、磁気テープ３２の磁気に応じて電流が発生し、これを磁気信号として出力する（Ｓ１−２）。
出力された磁気信号は、アンプ部１１で増幅される（Ｓ１−３）。
アンプ部１１から出力された磁気信号は、Ａ／Ｄコンバータ１２に出力されてデジタル信号化され（Ｓ１−４）、プロセッサ１６により時刻情報とともにメモリ１３に記憶される（Ｓ１−５）。
【００３８】
また、アンプ部１１から出力された磁気信号は、磁気制御部１５にも出力され、磁気制御部１５が、磁気信号から情報を取り出す（Ｓ１−６）。
磁気制御部１５に入力された磁気信号が適正で、読取エラーがないときは（Ｓ１−７Ｎｏ）、プロセッサ１６が、メモリ１３に記憶されたこの磁気信号を削除し、磁気制御部１５が情報をプロセッサ１６に出力してプロセッサ１６により所定の取引を行なう（Ｓ１−８）。
そして、入出金装置本体１は、預金通帳３０や取引明細書に取引内容を印字し、情報媒体３０，３１を返却して、取引を終了する（Ｓ１−９）。
【００３９】
次に、ハードウェア障害や、磁気テープ３２に減磁や消磁が生じたことにより、磁気信号から情報が取り出せなかったときは（Ｓ１−７Ｙｅｓ）、プロセッサ１６に読取エラーを出力する（Ｓ１−１０）。
また、磁気制御部１５のハードウェア障害検知部１５０が、ハードウェア障害の検知を行なう（Ｓ１−１１）。
まず、ハードウェア障害検知部１５０が、ライトコア１０１に所定の磁気を発生させて擬似的な磁気信号を形成するとともに、リードコア１００に、ライトコア１０１が発生した磁気信号を読み取らせる。
【００４０】
また、ハードウェア障害検知部１５０は、リードコア１００で読み取った擬似的な磁気信号と、ハードウェア障害検知部１５０に内蔵されたＲＯＭに記憶された期待値とを照合する。
そして、ハードウェア障害検知部１５０は、リードコア１００で読み取った擬似的な磁気信号が、期待値以上のときは（Ｓ１−１２Ｙｅｓ）、ハードウェア障害が無しの信号をプロセッサ１６に出力する（Ｓ１−１３）。
プロセッサ１６は、ハードウェア障害無しの信号を受信すると、銀行の窓口に行く旨の表示をタッチパネル１４に表示して、取引を終了する（Ｓ１−９）。
【００４１】
また、ハードウェア障害検知部１５０は、リードコア１００で読み取った擬似的な磁気信号が、期待値以下のときは（Ｓ１−１２Ｎｏ）、ハードウェア障害有りの信号をプロセッサ１６に出力する（Ｓ１−１４）。
プロセッサ１６は、ハードウェア障害有りの信号が入力されると、ハードウェア障害有りの情報を、メモリ１３に記憶された磁気信号に付加し（Ｓ１−１５）、タッチパネル１４に窓口か他の入出金装置本体１で取引を行なうことを促す旨の表示を行なわせるとともに、その後、障害があって操作できない旨の表示を行なわせ、取引を終了する（Ｓ１−９）。
【００４２】
次に、入出金装置本体１になんらかの異常が生じて取引ができなかったことを、客が窓口に来たり照会端末２の操作によりこれを知った管理者は、まず、照会端末２を操作することにより（Ｓ２−１）、上位制御部２０が、入出金装置本体１のプロセッサ１６に、メモリ１３に記憶された磁気信号を照会端末２側に出力させる（Ｓ２−２）。
【００４３】
照会端末２は、入出金装置本体１から出力された磁気信号が入力されると、モニタ２２に、この磁気信号のアナログ波形をイメージ表示する（Ｓ２−３）。
また、管理者の操作により（Ｓ２−４Ｙｅｓ）、照会端末２は、印刷部２１であるプリンタから磁気信号のアナログ波形のグラフ図をイメージ印刷する（Ｓ２−５）。
そして、印刷が正常に終わったときは、プロセッサ１６に印刷された磁気信号に対応したメモリ１３に記憶された磁気信号を削除させる（Ｓ２−６）。
【００４４】
そして、管理者は、モニタ２２の画面又は印刷部２１で印刷された印刷物に表示された磁気信号を参照して、どのような原因で、客が取引を行なうことができなかったのかを認識する。
この際、表示された磁気信号が、モニタ２２や印刷部２１で印刷された印刷物によりアナログ波形でイメージ出力されるので、管理者が容易に原因を認識できるので、客に対する対応が素早くなる。
また、エラーが生じた磁気信号のみがメモリ１３に残っており、これらがモニタ２２の画面や印刷物に表示されるので、管理者がどの磁気信号が窓口に客の磁気信号であるかを判別しやすくできる。
【００４５】
表示された磁気信号が、例えば、図４のグラフ図に示すようなものであれば、管理者は、磁気信号の一部（中央部分）の所定の出力レベルに満たないことを認識でき、磁気テープ３２が減磁していることを認識することができる。
また、表示された磁気信号が、例えば、図５のグラフ図に示すようなものであれば、管理者は、磁気信号の一部（中央部分）の出力レベル低く、ほとんどノイズであることがわかり、磁気テープ３２が消磁していることを認識することができる。
この際、モニタ２２及び印刷物には、磁気信号を読み取った際の時刻情報が、磁気信号とともに出力されるので、窓口にきた客の情報媒体３０，３１に対応する磁気信号を容易に探すことができる。
【００４６】
このように、磁気テープ３２が減磁や消磁している場合には、管理者は、例えば、窓口用の端末に、通帳３０やキャッシュカード３１などの情報媒体３０，３１を差し入れて、これの磁気テープ３２に正しい磁気信号を記録させる。
その後、客は、上記と同様にして再度入出金装置してを操作して取引を行なう。
【００４７】
また、出力された磁気信号が、例えば、図６のグラフ図に示すようなものであれば、管理者は、磁気信号の全幅に亘ってリードコア１００からの出力が小さいことがわかり、入出金装置本体１側に障害があることを認識することができる。
即ち、磁気テープ３２の減磁又は消磁は、ほとんどの場合において、磁気テープ３２の一部に生じるので、全幅にわたってリードコア１００からの出力が小さいと、入出金装置本体１の磁気テープ３２の再生部分にハードウェア障害が生じている可能性が高いからである。
そのため、管理者が、ハードウェア障害に対応したメンテナンス作業を行なうことができる。
また、モニタ２２や印刷部２１で印刷された印刷物には、ハードウェア障害検知部１５０による検知結果も表示されるので、管理者が、ハードウェア障害の有無を確実に認識できる。
【００４８】
以上説明したように、本実施形態の情報読込装置を用いた入出金装置（情報処理装置）は、磁気ヘッド１０のリードコア１００（磁気信号出力手段）で読み込んだ磁気信号を、モニタ２２の画面の表示や印刷部２１で印刷した印刷物（イメージ出力手段）により出力するので、銀行の行員などが、情報媒体３０，３１に付設された磁気テープ３２の磁気の状態を一目で認識することができる。
これにより、磁気テープ３２の減磁又は消磁が原因で、読取エラーが出たときにも、入出金装置本体１の磁気ヘッド１０を交換するなどの無駄な作業を行なうおそれがなくなるので、情報読込装置の保守点検作業を容易に行なうことができる。
また、磁気信号のアナログ波形がイメージ表示されるので、磁気テープの減磁又は消磁と、ハードウェア障害との区別ができるようになる。
そのため、これによっても保守点検作業を容易に行なうことができる。
【００４９】
また、照会端末２で磁気信号を参照して磁気テープ３２の磁気の状態を認識することにより、管理者が、磁気テープ３２の減磁又は消磁のような行員が対処できる障害であるか、磁気ヘッド１０の交換や配線の断線など、行員が対処できないような障害であるかの判断ができるようになる。
そのため、入出金装置は、行員などの管理者の作業能率を向上させることができる。
【００５０】
また、入出金装置は、入出金装置本体１で読み込んだ磁気テープ３２の磁気信号をメモリ１３（磁気信号記憶手段）に記憶させておき、これをプロセッサ１６や上位制御部２０（制御手段）により、モニタ２２の画面表示や印刷部２１で印刷した印刷物に出力させるので、再度、情報媒体３０，３１の磁気テープ３２を読み取る作業を行なわなくてもよくなる。
これにより、入出金装置の故障の点検作業を簡単に行なうことができる。
【００５１】
［第二実施形態］
次に、本発明の第二実施形態に係る情報読取装置を用いた情報処理システムを説明する。
図９には、本発明の第二実施形態に係る情報読取装置を用いた情報処理システムの概略構成図を示している。
同図に示すように、本実施形態の情報処理システムは、所定の媒体に付設された磁気テープから情報を読み込む複数の情報読込装置（１）と、情報読込装置が読み込んだ情報に基づいて所定の情報処理を行なう一又は二以上の情報処理装置（４０）とを備えている。
【００５２】
具体的には、情報処理システムは、銀行などの金融機関に用いられる金融システムであって、複数台の第一実施形態の入出金装置本体１と、ネットワーク４を介して入出金装置本体に接続される情報処理サーバ４０（本実施形態では一つ）と、一又は二以上の照会端末２を備えている。
【００５３】
情報処理サーバ４０は、入出金装置本体１が読み取った情報媒体の情報などに基づいて入出金処理や、口座情報の照会など種々の情報処理を行なう。
各照会端末２は、上述の第一実施形態のものと同様のものであり、入出金装置本体１の処理内容などを照会可能である。
また、照会端末２のうち一つは、例えば、ネットワーク４を介して接続された入出金装置本体１の処理内容も参照可能になっている。
その他の構成及び作用は上記第一実施形態と同様の構成となっている。
【００５４】
以上説明したように、本実施形態に係る情報読取装置を用いた情報処理システムによれば、例えば、入出金装置本体１が銀行の行員などの管理者がいない遠隔地に設置されていても、ネットワーク４を介して照会端末２で入出金処理装置本体１の処理内容などを参照できる。
また、遠隔地においても、管理者が、磁気テープの減磁及び消磁と、ハードウェア故障とを区別できるようになり、読み取りエラーが発生したときにこれに対処することができる。これにより、情報処理システムは、入出金装置本体１の保守管理業務を容易に行なわせることができる。
【００５５】
以上、本発明の情報読込装置及び情報読込装置を用いた入出金装置について、好ましい実施形態を示して説明したが、本発明に係る情報読込装置及び入出金装置は、上述した実施形態にのみ限定されるものではなく、本発明の範囲で種々の変更実施が可能であることは言うまでもない。
例えば、イメージ出力手段が、照会端末側にある印刷部やモニタである構成としたが、これに限定されるものでなく、入出金装置本体が備える印字部であってもよい。
また、入出金装置本体を一台で構成したが、同様の構成のものを複数台も受けてもよい。
また、イメージ出力手段を、モニタ及び印刷部で構成したが、これに限定されるものでなく、どちらか一方であってもよい。
【図面の簡単な説明】
【００５６】
【図１】本発明の第一実施形態に係る情報読込装置を用いた情報処理装置を示す概略構成図である。
【図２】本発明の第一実施形態に係る情報読込装置を用いた情報処理装置の入出金装置本体を示す斜視図である。
【図３】本発明の第一実施形態に係る情報読込装置を用いた情報処理装置において、イメージ出力手段によって表示された、一部が減磁された状態の磁気テープの磁気信号の一例を示すグラフ図である。
【図４】本発明の第一実施形態に係る情報読込装置を用いた情報処理装置において、イメージ出力手段によって表示された、一部が消磁された状態の磁気テープの磁気信号の一例を示すグラフ図である。
【図５】本発明の第一実施形態に係る情報読込装置を用いた情報処理装置において、イメージ出力手段によって表示された、ハードウェア障害のある状態で読み取られた磁気テープの磁気信号の一例を示すグラフ図である。
【図６】本発明の第一実施形態に係る情報読込装置を用いた情報処理装置において、正常な状態の磁気テープの磁気信号の一例を示すグラフ図である。
【図７】本発明の第一実施形態に係る情報読込装置を用いた情報処理装置において、入出金装置本体の動作を示すフローチャート図である。
【図８】本発明の第一実施形態に係る情報読込装置を用いた情報処理装置において、照会端末の動作を示すフローチャート図である。
【図９】本発明の第二実施形態に係る情報読込装置を用いた情報処理システムを示す概略構成図である。
【符号の説明】
【００５７】
１  入出金装置本体
１０  磁気ヘッド
１００  リードコア
１０１  ライトコア
１０２，１０３  挿入口
１１  アンプ部
１２  Ａ／Ｄコンバータ
１３  メモリ
１４  タッチパネル
１５  磁気制御部
１５０  ハードウェア障害検知部
１６  プロセッサ
２  照会端末
２０  上位制御部
２１  印刷部
２２  モニタ
３０  通帳（媒体）
３１  キャッシュカード（媒体）
３２  磁気テープ
４  ネットワーク
４０  情報処理サーバ
【図１】
2009140541.tif 000003
【図２】
2009140541.tif 000004
【図３】
2009140541.tif 000005
【図４】
2009140541.tif 000006
【図５】
2009140541.tif 000007
【図６】
2009140541.tif 000008
【図７】
2009140541.tif 000009
【図８】
2009140541.tif 000010
【図９】
2009140541.tif 000011